(57)【要約】  吸収性物品（１）は吸収性コア（４１）を備える。吸収性コア（４１）は、排泄対向区域（Ｂ）に非肌側シート（３）に向かって突出する突出部（４２）を有する。突出部（４２）は、吸収性コア（４１）の第一領域４１Ｆ及び第二領域４１Ｒの厚みよりも厚みが厚い。突出部（４２）は、平面視して、吸収性コア（４１）の縦方向（Ｘ）と直交する横方向（Ｙ）における長さが最大となる最大幅部を有し、該最大幅部の横方向（Ｙ）の長さが、吸収性コア４１の横方向Ｙの長さと同じである。
2018122899.tif 000002
【特許請求の範囲】
【請求項１】
着用者の前後方向に対応する縦方向に長い形状の吸収性コアを含む吸収体と該吸収体の肌対向面を被覆する肌側シートと該吸収体の非肌対向面を被覆する非肌側シートとを備え、前方区域及び後方区域を有する吸収性物品であって、
前記吸収性コアは、前記前方区域側に位置する第一領域及び前記後方区域側に位置する第二領域との間に中間領域を有し、該中間領域は、該第一領域及び該第二領域における厚みよりも厚みの厚い突出部を備えており、
前記突出部は、前記非肌側シートに向かって突出しており、
前記突出部は、前記吸収性コアを平面視して、該吸収性コアの前記縦方向と直交する横方向における長さが最大となる最大幅部を有し、該最大幅部での横方向の長さが、前記吸収性コアの該横方向の長さと同じである、吸収性物品。
【請求項２】
前記突出部は、前記最大幅部が前記吸収性コアの前記縦方向に沿う両側縁に従って前記縦方向に所定の長さに延在して形成される突出中央部を備えている、請求項１に記載の吸収性物品。
【請求項３】
前記突出部は、前記突出中央部から前方側又は後方側に向かって前記最大幅部よりも横方向の長さが狭くなるように膨出した前方側凸部又は後方側凸部を備えている、請求項２に記載の吸収性物品。
【請求項４】
前記吸収性コアは、前記中間領域に前記突出部と該突出部以外の部分との境界を区画する突出境界溝部を有し、
前記突出境界溝部は、前記吸収性コアの横方向の全長に亘り形成されている、請求項１〜３の何れか１項に記載の吸収性物品。
【請求項５】
前記突出境界溝部は、前記吸収性コアにおける非肌対向面側から肌対向面側に向かって窪んで形成されている、請求項４に記載の吸収性物品。
【請求項６】
前記突出境界溝部は、前記吸収性コアにおける前記第一領域及び前記第二領域の坪量よりも坪量が低く形成されている請求項４又は５に記載の吸収性物品。
【請求項７】
前記吸収性コアは、前記中間領域に前記突出部と該突出部以外の部分との境界を区画する突出境界溝部を有し、前記中間領域における前記突出部及び該突出境界溝部を除く領域に突出隣接部を有し、
前記突出隣接部は、その坪量が、前記突出部の坪量より小さく、且つ、前記吸収性コアにおける前記第一領域及び前記第二領域の坪量以下である、請求項１〜６の何れか１項に記載の吸収性物品。
【請求項８】
前記突出隣接部は、前記突出境界溝部における空洞の天部よりも前記非肌側シートに向かって突出していると共に、肌対向面が平坦に形成されている、請求項７に記載の吸収性物品。
【請求項９】
前記突出部は、肌対向面側に、前記吸収性コアにおける前記第一領域及び前記第二領域の坪量よりも坪量が低い凹部を有さない、請求項１〜８の何れか１項に記載の吸収性物品。
【請求項１０】
前記吸収性コアは、肌対向面に、前記第一領域から前記中間領域を通って前記第二領域に亘る、厚みが均一な連続層を有している、請求項１〜９の何れか１項に記載の吸収性物品。
【請求項１１】
前記吸収性コアは、その全体が一体成形により構成されている、請求項１〜１０の何れか１項に記載の吸収性物品。
【請求項１２】
前記突出部は、前記最大幅部が前記吸収性コアの前記縦方向に沿う両側縁に従って前記縦方向に所定の長さに延在して形成される突出中央部と、該突出中央部から前方側及び後方側に向かって前記最大幅部よりも横方向の長さが狭くなるように膨出した前方側凸部及び後方側凸部とを備え、
前記前方側凸部は、前記突出中央部の縦方向の前端部に１個配され、前記後方側凸部は前記突出中央部の縦方向の後端部に１個配されており、
前記前方側凸部及び前記後方側凸部は、それぞれ、縦方向に沿う両側部から横方向の中央部に位置する頂部に向かって、その横方向の長さが漸減するように形成されている請求項１〜１１の何れか１項に記載の吸収性物品。
【請求項１３】
前記突出部は、前記最大幅部が前記吸収性コアの前記縦方向に沿う両側縁に従って前記縦方向に所定の長さに延在して形成される突出中央部を備え、
前記突出中央部は、断面視において、横方向の中央部から縦方向に沿う両側部に向かって、その厚みが小さくなるように形成されている請求項１〜１２の何れか１項に記載の吸収性物品。
【請求項１４】
前記突出部は、前記最大幅部が前記吸収性コアの前記縦方向に沿う両側縁に従って前記縦方向に所定の長さに延在して形成される突出中央部を備え、
前記突出中央部は、断面視において、横方向の中央部から縦方向に沿う両側部に向かって、その坪量が小さくなるように形成されている請求項１〜１３の何れか１項に記載の吸収性物品。
【請求項１５】
前記吸収性コアは、前記中間領域に前記突出部と該突出部以外の部分との境界を区画する突出境界溝部を有し、前記中間領域における前記突出部及び該突出境界溝部を除く領域に突出隣接部を有し、
前記突出隣接部は、その坪量が、前記突出部の坪量より小さく、且つ、前記突出境界溝部の坪量よりも大きい請求項１〜１４の何れか１項に記載の吸収性物品。
【請求項１６】
前記突出隣接部は、その厚みが、前記吸収性コアにおける前記第一領域及び前記第二領域の厚みと、同じか小さい、請求項１５に記載の吸収性物品。
【請求項１７】
前記突出部の縦方向の全長は、前記吸収性コアの縦方向の全長の２５％以上８０％以下である、請求項１〜１６の何れか１項に記載の吸収性物品。
【請求項１８】
前記突出部は、前記最大幅部が前記吸収性コアの前記縦方向に沿う両側縁に従って前記縦方向に所定の長さに延在して形成される突出中央部を備え、
前記突出部における前記突出中央部の縦方向の全長は、前記突出部の縦方向の全長の２０％以上８０％以下である、請求項１〜１７の何れか１項に記載の吸収性物品。
【請求項１９】
前記吸収性コアは、前記突出部とそれ以外の部分との境界を区画する突出境界溝部を有し、前記中間領域における前記突出部及び該突出境界溝部を除く領域に突出隣接部を有し、
前記吸収性物品は、前記肌側シートと前記吸収性コアとが圧搾一体化された線状溝として、前記吸収性コアの縦方向に延びる一対の縦圧搾溝を有しており、
前記縦圧搾溝が、前記突出部、前記突出境界溝部、前記突出隣接部を縦方向に縦断するように形成されている、請求項１〜１８の何れか１項に記載の吸収性物品。
【請求項２０】
前記吸収性物品は、前記肌側シートと前記吸収性コアとが圧搾一体化された線状溝として、前記一対の縦圧搾溝の内側に横方向に延びる横圧搾溝を有する、請求項１９に記載の吸収性物品。
【請求項２１】
前記吸収性物品は、前記中間領域の前記縦方向に沿う前記一対の縦圧搾溝の横方向の外側に一対の第２縦圧搾溝を有する、請求項１９又は２０に記載の吸収性物品。
【請求項２２】
前記吸収性コアの前記第一領域及び前記第二領域には、横方向に延びる溝部が配置され、該溝部の坪量は、該第一領域及び該第二領域における該溝部以外の部分より吸収性コアの形成材料の坪量が低い、請求項１〜２１の何れか１項に記載の吸収性物品。
【請求項２３】
前記吸収性コアの前記第一領域及び前記第二領域には、縦方向に延びる溝部が配置され、該溝部の坪量は、該第一領域及び該第二領域における該溝部以外の部分より吸収性コアの形成材料の坪量が低い、請求項１〜２２の何れか１項に記載の吸収性物品。
【請求項２４】
前記吸収性物品の横方向両外側に一対のウイング部を備えており、各ウイング部における縦方向に間隔を空けて配された該ウイング部の付け根どうし間に前記中間領域が存在する、請求項１〜２３の何れか１項に記載の吸収性物品。
【請求項２５】
前記吸収性コアの前記中間領域は、前記ウイング部の付け根どうし間に亘って存在する、請求項２４に記載の吸収性物品。
【請求項２６】
前記吸収性コアの前記中間領域の縦方向の長さは、前記ウイング部の付け根どうし間の長さと同一である、請求項２４又は２５に記載の吸収性物品。
【請求項２７】
前記吸収性物品の前後方向に沿う左右両側に、着用者側へ向かって起立可能な防漏カフを備える、請求項１〜２６の何れか１項に記載の吸収性物品。
【請求項２８】
前記吸収性物品が全長３０ｃｍ以上の生理用ナプキンである、請求項１〜２７の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン、使い捨ておむつ等の吸収性物品においては、排泄された体液が多い場合などでは、日常の生活行動の中においても液漏れに繋がる場合があった。そのため、吸収性物品の吸収性コアにおいて、中央部分に坪量の大きい中高部分を設けることにより広い範囲で体液を吸収する方法が提案されている（例えば特許文献１〜２）。【０００３】
特許文献１では、吸収性物品の吸収性コアにおいて、中央領域に、他の部分よりも高さが高く密度も高い中央部を設け、該中央部が吸収性コアの横幅に等しく配されている吸収性物品が記載されている。【０００４】
また、特許文献２には、吸収性物品の吸収体が、積層状態にある上方吸収部と下方吸収部とを含み、上方吸収部の幅と下方吸収部の幅とが同じ寸法となっている吸収性物品が記載されている。【０００５】
また、これらの技術とは別の技術として、本出願人は、先に、身体形状への追従性を向上させる観点から、吸収性コアの排泄部対向部において、幅方向の中央領域が非肌側シートに向かって突出した吸収体を備える吸収性物品を提案した（特許文献３）。
【先行技術文献】
【特許文献】
【０００６】
【特許文献１】特開昭６１−６０２号公報
【特許文献２】特開２０１２−８１２４６号公報
【特許文献３】特開２０１６−８６８７２号公報
【発明の概要】
【０００７】
本発明は、着用者の前後方向に対応する縦方向に長い形状の吸収性コアを含む吸収体と該吸収体の肌対向面を被覆する肌側シートと該吸収体の非肌対向面を被覆する非肌側シートとを備え、前方区域及び後方区域を有する吸収性物品に関する。前記吸収性コアは、前記前方区域側に位置する第一領域及び前記後方区域側に位置する第二領域との間に中間領域を有し、該中間領域は、該第一領域及び該第二領域における厚みよりも厚みの厚い突出部を備えている。前記突出部は、前記非肌側シートに向かって突出していると共に、肌対向面が平坦に形成されている。前記突出部は、前記吸収性コアを平面視して、該吸収性コアの前記縦方向と直交する横方向における長さが最大となる最大幅部を有し、該最大幅部での横方向の長さが、前記吸収性コアの該横方向の長さと同じである。
【図面の簡単な説明】
【０００８】
【図１】図１は、本発明の吸収性物品の好ましい一実施形態である生理用ナプキンの肌対向面側（肌側シート側）を示す平面図である。
【図２】図２は、図１に示す生理用ナプキンの有する吸収性コアにおける非肌対向面側の平面図である。
【図３】図３は、図２のＩＩＩ−ＩＩＩ線断面を模式的に示す断面図である。
【図４】図４は、図１のＩＶ−ＩＶ線断面を模式的に示す断面図である。
【図５】図５は、図１のＩＶ−ＩＶ線断面を模式的に示す断面図である。
【図６】図６（ａ）ないし図６（ｂ）は、図１に示す生理用ナプキンの備える吸収性コアの製造工程を説明する説明図である。
【図７】図７は、本発明の吸収性物品の好ましい他の実施形態である生理用ナプキンの肌対向面側（肌側シート側）を示す平面図である。
【図８】図８は、本発明の吸収性物品の好ましい別の実施形態である生理用ナプキンの肌対向面側（肌側シート側）を示す平面図である。
【発明の詳細な説明】
【０００９】
特許文献１〜２には、吸収性コアの中央部分に配される坪量の大きい中高部分により吸収量を向上させる技術が開示されているが、非肌側シートに向かって突出させることに関して何ら記載されておらず、特許文献１〜２に記載の吸収性物品では、中高部分の段差と表面シートとの間に隙間ができ、排出液を素早く吸収体に拡散できないことによる漏れや、中高部分の段差による装着者の違和感が発生する恐れがあった。また、特許文献３には、吸収性コアの排泄部対向部において、中央突出部を非肌側シートに向かって突出させた吸収性物品が記載されている。特許文献３に記載の吸収性物品では、着用時のフィット感を向上させているが、該中央突出部は、吸収性コアの全幅に亘って形成されておらず、装着時や使用時に該中央突出部と排泄部の位置ズレが発生した際の液漏れの心配があった。
【００１０】
したがって本発明の課題は、前述した従来技術が有する欠点を解消し得る吸収性物品を提供することにある。
【００１１】
以下、本発明の吸収性物品を、その好ましい一実施形態である生理用ナプキン１（以下、「ナプキン１」とも言う。）に基づき図面を参照して説明する。図１には、本実施形態のナプキン１を肌側シート２側から視た平面図が示されている。ナプキン１は、図１に示すように、着用者の前後方向に対応する縦方向Ｘに長い形状の吸収性コア４１を含む吸収体４と吸収体４の肌対向面を被覆する肌側シート２と吸収体４の非肌対向面を被覆する非肌側シート３とを備え、前方区域Ａ及び後方区域Ｃを有する。ナプキン１は、図１に示すように、着用者の液排泄部に対向配置される排泄対向区域Ｂと、該排泄対向区域Ｂの縦方向Ｘの前後に配置された前方区域Ａ及び後方区域Ｃとに区分されている。
【００１２】
本明細書において、縦方向Ｘは、着用者の前後方向に対応しており、吸収性物品（ナプキン１）の長手方向に一致し、横方向Ｙは、吸収性物品（ナプキン１）の幅方向（長手方向に直交する方向）に一致している。したがって、特段の断りがない場合には、本明細書において、縦方向Ｘの長さは、縦方向Ｘで測定される距離である「長さ」を意味し、横方向Ｙの長さは、横方向Ｙで測定される距離である「幅」を意味する。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材における、吸収性物品（ナプキン１）の着用時に着用者の肌側に向けられる面であり、非肌対向面は、吸収性物品（ナプキン１）又はその構成部材における、吸収性物品（ナプキン１）の着用時に肌側とは反対側（着衣側）に向けられる面である。
【００１３】
ナプキン１は、着用時に着用者の液排泄部（膣口等）に対向配置される排泄対向区域Ｂと、該排泄対向区域Ｂよりも着用者の腹側（前側）寄りに配される前方区域Ａと、該排泄対向区域Ｂよりも着用者の背側（後側）寄りに配される後方区域Ｃとを有している。即ち、ナプキン１は、縦方向Ｘに、前方区域Ａ、排泄対向区域Ｂ及び後方区域Ｃの順番で区分される。
【００１４】
尚、本発明の吸収性物品において、排泄対向区域Ｂとは、本実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部１Ｗを有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１５】
本実施形態のナプキン１は、図１に示すように、肌対向面を形成する液透過性の肌側シート２、非肌対向面を形成する非肌側シート３、及びこれら両シート２，３間に介在された吸収体４を具備している。吸収体４は、吸収性コア４１と、該吸収性コア４１を包むコアラップシート（不図示）とから構成されている。
【００１６】
ナプキン１では、肌側シート２は、図１に示すように、吸収体４の肌対向面の全域を被覆し、吸収体４の縦方向Ｘに沿う両側縁から横方向Ｙの外方に延出している。一方、非肌側シート３は、吸収体４の非肌対向面の全域を被覆し、更に肌側シート２の縦方向Ｘに沿う両側縁から横方向Ｙの外方に延出して、後述するサイドシート５と共にサイドフラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１７】
ナプキン１では、サイドシート５は、図１に示すように、肌側シート２の肌対向面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。
【００１８】
ナプキン１では、一対のサイドシート５，５は、それぞれ、図１に示すように、接合部６にて肌側シート２に接合されている。曲線による横方向Ｙへの凹凸を交互に縦方向Ｘに連続して配した波状の接合部６は、平面視において、中心線ＣＬを中心として横方向Ｙに対称に一対配されている。このように、サイドシート５が、波状の接合部６にて肌側シート２に接合されて固定されると、波状に配された接合部６の接合部群よりも横方向Ｙの内方に、サイドシート５と肌側シート２とで画成される空間部が形成される。この空間部は、中心線ＣＬに向けて開口しているので、横方向Ｙの中央から外方へ流れる経血等の体液が該空間部に収容されるようになり、結果として体液の漏れが効果的に防止できる。
【００１９】
ナプキン１では、サイドフラップ部１Ｓは、図１に示すように、排泄対向区域Ｂにおいて横方向Ｙの外方に向かって大きく張り出しており、これによりナプキン１の縦方向Ｘに沿う左右両側に、一対のウイング部１Ｗ，１Ｗが延設されている。ウイング部１Ｗは、ショーツ等の着衣のクロッチ部の非肌対向面側に折り返されて用いられるものである。また、肌側シート２及び非肌側シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００２０】
ナプキン１では、図１に示すように、肌側シート２の肌対向面に、肌側シート２及び吸収体４が非肌側シート３側に向かって一体的に凹陥してなる線状圧搾溝７が形成されている。線状圧搾溝７における「線状」とは、溝（凹陥部）の形状が平面視において直線に限られず、曲線を含んでいることを意味する。尚、各線は、連続線でも破線等のような不連続線でもよい。ナプキン１では、線状圧搾溝７は、不連続な多数の点エンボスのなす列から構成されている。線状圧搾溝７は、肌側シート２及び吸収体４に関して、構成部材である各々の繊維の密度が、該線状圧搾溝７の周囲部の密度よりも高くなっている。線状圧搾溝７は、吸収体４の前方区域Ａ及び後方区域Ｃに、それぞれ横方向Ｙに延びる第１横圧搾溝７１と、吸収体４の排泄対向区域Ｂの縦方向Ｘに沿う両側部に縦方向Ｘに延びる縦圧搾溝７３とを有している。ナプキン１では、第１横圧搾溝７１は、縦方向Ｘ外方に向けて凸の曲線状であり、縦圧搾溝７３は、排泄対向区域Ｂにおいて横方向Ｙ外方に向けて凸の曲線状である。第１横圧搾溝７１は、一対の縦圧搾溝７３の内側に、一対の縦圧搾溝７３に亘って横方向Ｙに延びている。ナプキン１では、前方区域Ａの第１横圧搾溝７１、一方の縦圧搾溝７３、後方区域Ｃの第１横圧搾溝７１、及び他方の縦圧搾溝７３が繋がってリング状の全周溝を形成している。このように形成された線状圧搾溝７は、吸収体４の平面方向への体液の拡散を抑制して、ナプキン１の周囲から液漏れを効果的に防止することができる。
【００２１】
ナプキン１では、吸収体４を構成する吸収性コア４１は、図２に示すように、縦方向Ｘの前方区域Ａ側に位置する第一領域４１Ｆ及び後方区域Ｃ側に位置する第二領域４１Ｒとの間に中間領域４１Ｍを有している。中間領域４１Ｍは、第一領域４１Ｆ及び第二領域４１Ｒにおける厚みよりも厚みの厚い突出部４２を備えている。ナプキン１では、中間領域４１Ｍは、排泄対向区域Ｂの領域に配置されている。吸収性コア４１の中間領域４１Ｍとナプキン１の排泄対向区域Ｂは、縦方向において、一致していても、一致していなくてもよい。ナプキン１では、突出部４２を有する中間領域４１Ｍが、縦方向において、排泄対向区域Ｂに亘って延在しているのみならず、排泄対向区域Ｂから前方区域Ａの一部及び後方区域Ｃの一部に至るまで延在している。尚、ナプキン１では、図２に示すように平面視して、ナプキン１の前方区域Ａの領域内に、吸収性コア４１の第一領域４１Ｆが配置されており、ナプキン１の後方区域Ｃの領域内に吸収性コア４１の第二領域４１Ｒが配置されている。
【００２２】
ナプキン１では、図１に示すように、吸収性コア４１は、ナプキン１の縦方向Ｘと同方向に長い形状を有する。したがって、吸収性コア４１の縦方向は、ナプキン１の縦方向Ｘと同方向であり、吸収性コア４１の横方向は、ナプキン１の横方向Ｙと同方向である。
【００２３】
中間領域４１Ｍの有する突出部４２は、図３〜図５に示すように、非肌側シート３に向かって突出しており、ナプキン１では、肌対向面が平坦に形成されている。突出部４２の厚みは、図４に示すように、中間領域４１Ｍの前方に位置する第一領域４１Ｆの厚み及び中間領域４１Ｍの後方に位置する第二領域４１Ｒの厚みよりも厚く形成されている。好適に、ナプキン１では、突出部４２は、吸収性コア４１における第一領域４１Ｆの厚みよりも厚みが厚く形成されており、且つ、吸収性コア４１における第一領域４１Ｆの坪量よりも坪量が高く形成されている。また、ナプキン１では、突出部４２の厚みは、吸収性コア４１における第二領域４１Ｒの厚みよりも厚みが厚く形成されており、且つ、吸収性コア４１における第二領域４１Ｒの坪量よりも坪量が高く形成されている。突出部４２の厚み及び坪量と比較する第一領域４１Ｆ及び第二領域４１Ｒのそれぞれの厚み及び坪量は、第一領域４１Ｆ及び第二領域４１Ｒに後述する溝部４５が形成されている場合には、第一領域４１Ｆ及び第二領域４１Ｒにおける後述する溝部４５が存在しない部分における厚み及び坪量を意味する。ナプキン１の吸収性コア４１は、コア材料の坪量に差を設けて厚み差を設けてあるため、坪量の均一な吸収性コアの一部を圧縮して厚み差を設ける場合とは異なり、吸収性コア４１は、全体として柔軟である。
【００２４】
上述のように、突出部４２は、肌対向面が平坦に形成されている。ここで「肌対向面が平坦」とは、吸収性コア４１の突出部４２における肌側シート２側の肌対向面が真っ平な状態のみならず、繊維積繊時の場所による積繊量のばらつき、プレス時の変形、その他製造工程等で発生した、肌対向面の一部に幅５ｍｍ程度、深さ２ｍｍ程度の凹凸が形成されている状態も含む意味である。このように、ナプキン１では、突出部４２は、肌対向面側に、吸収性コア４１における第一領域４１Ｆ及び第二領域４１Ｒの坪量よりも坪量が低い凹部を有さない形態となっている。ここで、第一領域４１Ｆ及び第二領域４１Ｒの坪量とは、第一領域４１Ｆ及び第二領域４１Ｒが溝部４５を有する場合には、溝部４５を除いた部分の坪量を意味する。突出部４２の肌対向面側に、低坪量の凹部が存在すると、排泄液の縦、横方向へ水平方向への速やかな拡散を妨げ、液の吸収量の低減や、吸収速度の低下による液戻りなどが生じやすくなるばかりでなく、ナプキン１に思わぬシワや折れが生じ易くなる。仮に、低坪量の凹部が、突出部４２の肌対向面に縦方向Ｘに突出部４２を縦断する縦溝部として存在する場合、突出部４２が該縦溝により横方向Ｙに分断されるようになり易く、着用時に縦溝部を起点にナプキン１に縦方向に沿うシワが入り易くなるだけでなく、その縦溝部を基点に、ナプキン１の着用者の動作によって吸収性コアが分断されることも起こり得ると想定される。このように吸収性コアが分断されると、ナプキン１と身体との間に隙間ができやすくなったり、吸収容量が著しく低下したりするため、いわゆる液漏れの原因となる。さらに、肌対向面が平坦である吸収性コア４１に対し、後工程で、肌側シート２及び吸収体４を非肌側シート３側に向かって一体的に凹陥させて線状圧搾溝７を形成することで、より一層、液漏れを生じ難くなる。
【００２５】
ナプキン１では、吸収性コア４１は、図４に示すように、肌対向面に、第一領域４１Ｆから中間領域４１Ｍを通って第二領域４１Ｒに亘る、厚みが均一な連続層ＲＳを有している。連続層ＲＳは、ナプキン１では、吸収性コア４１の肌対向面の前面に形成されている。連続層ＲＳの厚みは、後述する突出境界溝部４３での吸収性コア４１の厚み、或いは突出境界溝部４３での吸収性コア４１の厚みと同じである。
【００２６】
突出部４２の厚みは、突出部４２を着用者の非肌側である非肌側シート３に向かって突出させて、吸収性コア４１の液の吸収量を確保する観点から、吸収性コア４１における第一領域４１Ｆ及び第二領域４１Ｒの厚みの、好ましくは１２０％（即ち、１．２倍）以上、より好ましくは１４０％以上であり、また、好ましくは、７００％以下、より好ましくは、５００％以下であり、また、着用時における身体への追従性や違和感を抑える観点から、好ましくは１２０％以上７００％以下、より好ましくは１４０％以上５００％以下である。また、突出部４２の厚みと第一領域４１Ｆ又は第二領域４１Ｒの厚みとの厚みの差（前者−後者）で表される突出高さは、好ましくは１．０ｍｍ以上、より好ましくは２．０ｍｍ以上であり、また、好ましくは８．０ｍｍ以下、より好ましくは６．０ｍｍ以下であり、また、好ましくは１．０ｍｍ以上８．０ｍｍ以下、より好ましくは２．０ｍｍ以上６．０ｍｍ以下である。上述した構成は、本実施形態のナプキン１のように突出部４２が排泄対向区域Ｂに設けられているときに、特に有効である。
【００２７】
また、突出部４２の厚みは、好ましくは２．０ｍｍ以上、より好ましくは３．０ｍｍ以上であり、また、好ましくは１０．０ｍｍ以下、より好ましくは７．０ｍｍ以下であり、また、好ましくは２．０ｍｍ以上１０．０ｍｍ以下、より好ましくは３．０ｍｍ以上７．０ｍｍ以下である。なお、突出部４２の全範囲において上記厚みの関係になっていることが好ましいが、突出部４２の厚み方向に増減が設けられているような場合においては、最も厚い部分において上記の関係となっていればよい。
なお、突出部４２の全範囲において上記厚みの関係になっていることが好ましいが、突出部４２の厚み方向において、横方向Ｙ又は縦方向Ｘ又は、その両方向に漸次的な厚み増減が設けられているような場合においては、最も厚い部分において上記の関係となっていればよい。
【００２８】
また、第一領域４１Ｆ又は第二領域４１Ｒの厚みは、好ましくは０．５ｍｍ以上、より好ましくは１．０ｍｍ以上であり、また、好ましくは７．０ｍｍ以下、より好ましくは３．５ｍｍ以下であり、また、好ましくは０．５ｍｍ以上７．０ｍｍ以下、より好ましくは１．０ｍｍ以上３．５ｍｍ以下である
ナプキン１では、第一領域４１Ｆ又は第二領域４１Ｒの厚みは、後述する溝部４５が存在しない部分において、略均一に形成されていることが好ましいが、第一領域４１Ｆ又は第二領域４１Ｒの横方向Ｙ又は縦方向Ｘに漸次的な厚みの増減が設けられているような場合においては、最も厚い部分において上記の関係となっていればよい。
突出部４２、第一領域４１Ｆ又は第二領域４１Ｒ、後述する突出隣接部４４等の吸収性コア４１の各部の厚みは、以下の方法によって測定される。
【００２９】
＜吸収性コア４１の各部の厚みの測定方法＞
吸収性コアを水平な場所にシワや折れ曲がりがないように静置し、該吸収性コア４１から測定対象物である突出部４２、第一領域４１Ｆ又は第二領域４１Ｒ等を切り出す。そして、切り出した測定対象物における５ｃＮ／ｃｍ2の荷重下での厚みを測定する。具体的には、厚みの測定に、例えば、厚み計 PEACOCK DIAL UPRIGHT GAUGES R5-C(OZAKI MFG.CO.LTD.製）を用いる。このとき、厚み計の先端部と切り出した測定対象物との間に、荷重が５ｃＮ／ｃｍ2となるように大きさを調整した平面視円形状又は正方形状のプレート（厚さ５ｍｍ程度のアクリル板）を配置して、厚みを測定する。吸収性コア４１における第一領域４１Ｆ又は第二領域４１Ｒ等の厚みを測定する際には、後述する溝部４５を含まないように測定する。
【００３０】
ナプキン１では、吸収性コア４１における突出部４２の坪量は、突出部４２を着用者の非肌側である非肌側シート３に向かって突出させて、吸収性コア４１の液の吸収量を確保する観点から、好ましくは１００ｇ／ｍ2以上、より好ましくは２００ｇ／ｍ2以上であり、そして、好ましくは１５００ｇ／ｍ2以下、より好ましくは１２００ｇ／ｍ2以下であり、具体的には、好ましくは１００ｇ／ｍ2以上１５００ｇ／ｍ2以下、より好ましくは２００ｇ／ｍ2以上１２００ｇ／ｍ2以下である。また、吸収性コア４１における第一領域４１Ｆの坪量又は第二領域４１Ｒの坪量は、好ましくは５０ｇ／ｍ2以上、より好ましくは１００ｇ／ｍ2以上であり、そして、好ましくは１０００ｇ／ｍ2以下、より好ましくは９００ｇ／ｍ2以下であり、具体的には、好ましくは５０ｇ／ｍ2以上１０００ｇ／ｍ2以下、より好ましくは１００ｇ／ｍ2以上９００ｇ／ｍ2以下である。第一領域４１Ｆの坪量又は第二領域４１Ｒの坪量は、上述した吸収性コア４１の各部の厚みの測定方法で説明したように切り出した突出部４２、第一領域４１Ｆ又は第二領域４１Ｒのサンプルの質量を、そのサンプルの肌対向面側の面の面積で除して求める。吸収性コア４１における第一領域４１Ｆの坪量又は第二領域４１Ｒ等の坪量を測定する際には、後述する溝部４５を含まないように測定する。
【００３１】
ナプキン１において、突出部４２は、吸収性コア４１を平面視して、吸収性コア４１の縦方向Ｘと直交する横方向Ｙにおける長さが最大となる最大幅部を有し、該最大幅部の横方向Ｙの長さが、吸収性コア４１の横方向Ｙの長さと同じである。好適には、突出部４２は、図２に示すように吸収性コア４１を平面視して、突出部４２の最大幅部が吸収性コア４１の縦方向Ｘに沿う両側縁に従って縦方向Ｘに所定の長さに延在して形成される突出中央部４２１を備えている。言い換えれば、突出中央部４２１は、吸収性コア４１の縦方向Ｘに沿う両側縁４１ｓ，４１ｓ間に亘って帯状に延在しており、帯状の突出中央部４２１における縦方向Ｘの全長に亘って突出部４２の前記最大幅部を有している。突出中央部４２１の最大幅部の横方向Ｙの長さは、吸収性コア４１の中間領域４１Ｍでの最大幅と同一となっている。なお、ここで吸収性コア４１の幅とは、突出部４２を含めた吸収性コア４１の幅を意味する。すなわち、突出部４２を横方向Ｙに断面視したとき、隣接する第一領域４１Ｆ及び第二領域４１Ｒの非肌対向面側の表面の高さ位置よりも非肌対向面側に位置する突出部４２の幅（非肌側幅）が、肌対向面側に位置する突出部４２の幅（肌側幅）と同じ又は大きければ、突出部４２の最大幅は吸収性コア４１の幅と同一である。しかしながら、突出部４２の最大幅部は肌側幅と非肌側幅が略同一であることが望ましく、特に厚み方向に略均一であることが望ましい。
【００３２】
ナプキン１では、図２に示すように、吸収性コア４１は、吸収性物品が多少ズレた状態で着用されても、十分な吸収量を確保できるように、突出中央部４２１が排泄対向区域Ｂに配され、排泄対向区域Ｂの領域内において、その面積をできるかぎり広くすることが好ましい。このような観点から、突出中央部４２１は、最大幅部において、吸収性コア４１の縦方向Ｘに沿う両側縁４１ｓ，４１ｓ間は、一定の間隔であることが好ましく、両側縁４１ｓ，４１ｓはそれぞれ、縦方向Ｘに平行であり、且つ直線状となっていることがより好ましい。ただし、製造時における、吸収性コア４１における突出部４２の横方向Ｙの位置ズレ、突出部４２の欠け、生産方法に起因する型の抜き傾斜、端部の丸めや面取り等により、突出部４２の幅と吸収性コア４１の幅とが多少異なる程度、例えば、最大幅部の幅の５％程度の差の範囲であれば同一の幅とする。最大幅とは横方向Ｙにおける最も長い位置での距離を意味する。なお、ナプキン１においては、突出部４２の横方向Ｙにおける最大幅部での横方向Ｙの長さが、吸収性コア４１の中間領域４１Ｍにおける横方向Ｙの最大長さと同じであり、吸収性コア４１の横方向Ｙの最大長さと同じである。これにより、ナプキン１が多少ズレた状態で着用されても、十分な吸収量を確保でき、より一層漏れを生じ難くなる。
【００３３】
突出部４２の突出中央部４２１は、ナプキン１では、図３に示すように断面視して、横方向Ｙの中央部から縦方向Ｘに沿う両側縁部に向かって、その厚みが小さくなるように形成されている。即ち、突出中央部４２１における縦方向Ｘに延びる中心線ＣＬ上に配された中央部が、最も厚みが大きく形成されている。このように突出中央部４２１が形成されていると、排泄対向区域Ｂにおける液の吸収量を十分に確保することができる。
【００３４】
突出部４２の突出中央部４２１は、ナプキン１では、図３に示すように断面視して、横方向Ｙの中央部から縦方向Ｘに沿う両側縁部に向かって、その坪量が小さくなるように形成されている。即ち、突出中央部４２１における縦方向Ｘに延びる中心線ＣＬ上に配された中央部が、最も坪量が大きく形成されている。このように突出中央部４２１が形成されていると、排泄対向区域Ｂにおける液の吸収性等を向上させることができる。
【００３５】
ナプキン１の突出中央部４２１は、図３に示すように断面視して、中心線ＣＬ上に配された中央部の厚さ（Ｔ１）の、最も厚さの小さい側縁４１ｓでの厚さ（Ｔ２）に対する比（Ｔ１／Ｔ２）は、排泄部に突出部が可能な限り隙間なく密着できる観点から、１．１以上、特に１．３以上であることが好ましく、また、着用時の違和感を与え難くする観点から、４以下、特に３以下であることが好ましく、具体的には、１．１以上４以下、特に１．３以上３以下であることが好ましい。
【００３６】
また、突出部４２は、突出中央部４２１から前方区域Ａ側又は後方区域Ｃ側に向かって突出部４２の前記最大幅部よりも横方向Ｙの長さが狭くなるように膨出した前方側凸部４２２又は後方側凸部４２３を備えている。言い換えれば、突出部４２は、図２に示すように吸収性コア４１を平面視して、突出中央部４２１の縦方向Ｘの前端部から第一領域４１Ｆ側に向かって凸の前方側凸部４２２、及び突出中央部４２１の縦方向Ｘの後端部から第二領域４１Ｒ側に向かって凸の後方側凸部４２３の何れか一方を少なくとも有しており、ナプキン１では、突出部４２は、前方側凸部４２２及び後方側凸部４２３を有している。即ち、ナプキン１では、突出部４２は、前方側凸部４２２、突出中央部４２１及び後方側凸部４２３に区分されている。
【００３７】
ナプキン１では、図２に示すように、吸収性コア４１における、前方側凸部４２２は突出中央部４２１の前端部に１個配され、後方側凸部４２３は突出中央部４２１の後端部に１個配されている。前方側凸部４２２は、前方側凸部４２２の頂部４２２ｔが縦方向Ｘに延びる中心線ＣＬ上に配されており、前方側凸部４２２を形成する両側辺４２２ｓ，４２２ｓが、それぞれ、頂部４２２ｔから吸収性コア４１の縦方向Ｘに沿う側縁４１ｓに亘って直線形状に延びている。後方側凸部４２３は、前方側凸部４２２と同様に、後方側凸部４２３の頂部４２３ｔが縦方向Ｘに延びる中心線ＣＬ上に配されており、後方側凸部４２３を形成する両側辺４２３ｓ，４２３ｓが、それぞれ、頂部４２３ｔから吸収性コア４１の縦方向Ｘに沿う側縁４１ｓに亘って延びている。
【００３８】
ナプキン１では、図２に示すように、吸収性コア４１における前方側凸部４２２及び後方側凸部４２３は、それぞれ、縦方向Ｘに沿う両側部から横方向Ｙの中央部に位置する頂部４２２ｔ，４２３ｔに向かって、その幅ｄが漸減するように形成されている。好適に、ナプキン１の吸収性コア４１における前方側凸部４２２では、両側辺４２２ｓ，４２２ｓの間隔（幅ｄ）が、吸収性コア４１の縦方向Ｘに沿う両側縁４１ｓ，４１ｓから頂部４２２ｔに向かって漸減している。同様に、ナプキン１の吸収性コア４１における後方側凸部４２３では、両側辺４２３ｓ，４２３ｓの間隔（幅ｄ）が、吸収性コア４１の縦方向Ｘに沿う両側縁４１ｓ，４１ｓから頂部４２３ｔに向かって漸減している。ここで、幅ｄが漸減しているとは、頂部４２２ｔ，４２３ｔに向って幅ｄが連続的に少しずつ減少していることである。
【００３９】
ナプキン１における吸収性コア４１では、前方側凸部４２２及び後方側凸部４２３の内の前方側凸部４２２を例に挙げて説明すると、図２に示すように、両側辺４２２ｓ，４２２ｓがそれぞれ屈曲せずに真っ直ぐに延びている。一方の側辺４２２ｓと縦方向Ｘに延びる中心線ＣＬとのなす角αは、身体形状へのフィット性及び動きの中での追従性向上の観点から、好ましくは２０°以上、より好ましくは３０°以上であり、そして、好ましくは７５°以下、より好ましくは６０°以下であり、具体的には、好ましくは２０°以上７５°以下、より好ましくは３０°以上６０°以下である。後方側凸部４２３も前方側凸部４２２と同様である。
【００４０】
体液の吸収量の確保とナプキン１の着用時のフィット性との両立の観点から、図２に示すように、突出部４２の縦方向Ｘの全長Ｌ２は、吸収性コア４１の縦方向Ｘの全長Ｌ１の、好ましくは２５％以上、より好ましくは３０％以上であり、また、好ましくは８０％以下、より好ましくは７５％以下であり、また、好ましくは２５％以上８０％以下、より好ましくは３０％以上７５％以下である。
なお、全長Ｌ１とは吸収性コア４１の縦方向Ｘにおける最も長い位置での距離を示し、全長Ｌ２とは突出部４２の縦方向Ｘにおける最も長い位置での距離を意味する。
【００４１】
体液の吸収量を十分に確保する観点から、図２に示すように、突出部４２を構成する突出中央部４２１の縦方向Ｘの全長Ｌ３は、突出部４２の全長Ｌ２の好ましくは２０％以上、より好ましくは３０％以上であり、また、好ましくは８０％以下、より好ましくは７０％以下であり、また、好ましくは２０％以上８０％以下、より好ましくは３０％以上７０％以下である。
【００４２】
突出部４２を構成する前方側凸部４２２の縦方向Ｘの全長Ｌ４は、図２に示すように、突出部４２の全長Ｌ２の、好ましくは５％以上、より好ましくは１０％以上であり、また、好ましくは５０％以下、より好ましくは３０％以下であり、また、好ましくは、５％以上５０％以下、より好ましくは１０％以上３０％以下である。突出部４２を構成する後方側凸部４２３の縦方向Ｘ全長も、前方側凸部４２２の縦方向Ｘの全長Ｌ４と同様である。
なお、全長Ｌ４とは前方側凸部４２２の縦方向Ｘにおける最も長い位置での距離を意味する。
【００４３】
ナプキン１では、図２，図４及び図５に示すように、吸収性コア４１は、中間領域４１Ｍに突出部４２と突出部４２以外の部分との境界を区画する突出境界溝部４３を有している。突出境界溝部４３は、吸収性コア４１における非肌対向面側から肌対向面側に向かって窪んで形成されている。突出境界溝部４３は、吸収性コア４１における非肌側シート３側の非肌対向面から肌側シート２側に向かって凸に窪んで形成されており、溝の空洞の天部である頂部が肌側シート２側に形成されている。このため、ナプキン１の着用時に、脚部からの吸収性コア４１の横方向Ｙの内側に働く力に対し、突出境界溝部４３を起点に吸収体４が折れ曲がり易く、ナプキン１が身体の形状に沿って３次元的にフィットし易くなる。
【００４４】
ナプキン１では、突出境界溝部４３は、図２に示すように、突出部４２を構成する前方側凸部４２２を形成する両側辺４２２ｓ，４２２ｓに沿って延在する前方突出境界溝部４３ａと、後方側凸部４２３を形成する両側辺４２３ｓ，４２３ｓに沿って延在する後方突出境界溝部４３ｃとを有している。前方突出境界溝部４３ａと後方突出境界溝部４３ｃは、吸収性コア４１の横方向Ｙの全長（全幅）に亘り形成されている。このため、脚部からの吸収性コア４１の横方向Ｙの内側に働く力に対し、ナプキン１の縦方向に縦シワが生じ難く、ナプキン１が身体の形状に沿って３次元的にフィットし易くなる。このように、吸収性コア４１では、前方突出境界溝部４３ａと後方突出境界溝部４３ｃとによって突出部４２との境界を区画している。
【００４５】
ナプキン１では、吸収性コア４１における突出境界溝部４３の溝幅は、排泄対向区域Ｂにおける液の吸収性等を向上させる観点から、好ましくは、０．１ｍｍ以上、より好ましくは、０．５ｍｍ以上であり、また、好ましくは、５．０ｍｍ以下、より好ましくは、３．０ｍｍ以下であり、また、好ましくは０．１ｍｍ以上５．０ｍｍ以下、より好ましくは、０．５ｍｍ以上３．０ｍｍ以下である。尚、突出境界溝部４３の溝幅及び後述する厚みは、突出境界溝部４３の延びる方向に直交する方向に切断し、切端面の写真から計測する。
ナプキン１では、吸収性コア４１における突出境界溝部４３での厚み（溝の頂部での吸収性コア４１の厚み）は、排泄対向区域Ｂにおける液の吸収性等を向上させる観点から、好ましくは、０．０８ｍｍ以上、より好ましくは、０．１５ｍｍ以上、また、好ましくは、７．０ｍｍ以下、より好ましくは、３．５ｍｍ以下であり、また、好ましくは、０．０８ｍｍ以上、７．０ｍｍ以下、より好ましくは、０．１５ｍｍ以上３．５ｍｍ以下である。
【００４６】
ナプキン１では、突出境界溝部４３の坪量は、突出部４２の坪量よりも低く、更に、吸収性コア４１における第一領域４１Ｆの坪量及び第二領域４１Ｒの坪量よりも坪量が低く形成されている。ここで、第一領域４１Ｆの坪量及び第二領域４１Ｒの坪量とは、後述する溝部４５を有する場合には、溝部４５を除いた部分の坪量を意味する。突出境界溝部４３の坪量は、好ましくは１０ｇ／ｍ2以上、より好ましくは２０ｇ／ｍ2以上であり、そして、好ましくは３５０ｇ／ｍ2以下、より好ましくは２５０ｇ／ｍ2以下であり、具体的には、好ましくは１０ｇ／ｍ2以上３５０ｇ／ｍ2以下、より好ましくは２０ｇ／ｍ2以上２５０ｇ／ｍ2以下である。尚、突出境界溝部４３の坪量は、上述した吸収性コア４１の各部の厚みの測定方法で説明したように切り出した突出境界溝部４３の部分のサンプルの質量を、そのサンプルの肌対向面側の面の面積で除して求める。
【００４７】
ナプキン１では、吸収性コア４１は、図２に示すように、その中間領域４１Ｍにおける突出部４２を除き、更に、突出境界溝部４３を除く領域に、突出隣接部４４を有している。ナプキン１では、吸収性コア４１における中間領域４１Ｍが、突出部４２、突出境界溝部４３及び突出隣接部４４からなっている。突出隣接部４４は、中間領域４１Ｍにおいて、突出部４２を構成する前方側凸部４２２に隣接する第一領域４１Ｆ側に配された前方突出隣接部４４ａと、突出部４２を構成する後方側凸部４２３に隣接する第二領域４１Ｒ側に配された後方突出隣接部４４ｃとを有している。前方突出隣接部４４ａは、縦方向Ｘに延びる中心線ＣＬに対して左右対称に形成されている。前方突出隣接部４４ａにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。後方突出隣接部４４ｃも、前方突出隣接部４４ａと同様に、縦方向Ｘに延びる中心線ＣＬに対して左右対称に形成されている。後方突出隣接部４４ｃにおける、中心線ＣＬよりも吸収性コア４１の縦方向Ｘに沿う一方の側縁４１ｓ側の半分の部分は、縦方向Ｘの長さが、該一方の側縁４１ｓから中心線ＣＬに向かって漸減するように形成されている。
【００４８】
ナプキン１では、突出隣接部４４は、図４及び図５に示すように、突出境界溝部４３における空洞の天部、言い換えれば、突出境界溝部４３における肌側シート２側の頂部よりも非肌側シート３に向かって突出している。また、突出隣接部４４は、肌対向面が平坦に形成されている。そして、突出隣接部４４は、その厚みが、突出境界溝部４３の厚みよりも大きく、且つ、吸収性コア４１における突出部４２の厚みよりも小さく形成されている。さらには、身体の動きへの追従性の観点からは、突出隣接部４４は、その厚みが、第一領域４１Ｆの厚み及び第二領域４１Ｒの厚みと同じか小さくなっていることが好ましい。尚、身体の動きに対し、繰り返し変形した際の吸収性コア４１の強度の観点から、突出隣接部４４は、その厚みが、第一領域４１Ｆの厚み及び第二領域４１Ｒの厚みより大きくなっていてもよい。
突出隣接部４４の厚みは、好ましくは０．５ｍｍ以上、より好ましくは１．０ｍｍ以上であり、また、好ましくは１０．０ｍｍ以下、より好ましくは７．０ｍｍ以下であり、また、好ましくは０．５ｍｍ以上１０．０ｍｍ以下、より好ましくは１．０ｍｍ以上７．０ｍｍ以下である。
突出隣接部４４の厚みは、上述した吸収性コア４１の各部の厚みの測定方法に基づいて測定される。
【００４９】
ナプキン１では、突出隣接部４４は、その坪量が、吸収性コア４１の突出部４２の坪量より小さく、且つ、突出境界溝部４３の坪量よりも大きく形成されている。さらには、身体の動きへの追従性の観点からは、突出隣接部４４は、その坪量が、吸収性コア４１における第一領域４１Ｆの坪量及び第二領域４１Ｒの坪量以下であることが好ましい。尚、身体の動きに対し、繰り返し変形した際の吸収性コア４１の強度の観点から、突出隣接部４４は、その坪量が、第一領域４１Ｆの坪量及び第二領域４１Ｒの坪量よりも大きくなっていてもよい。ここで、第一領域４１Ｆの坪量及び第二領域４１Ｒの坪量とは、溝部４５を有する場合には、溝部４５を除いた部分の坪量を意味する。突出隣接部４４の坪量は、好ましくは２０ｇ／ｍ2以上、より好ましくは５０ｇ／ｍ2以上であり、そして、好ましくは８００ｇ／ｍ2以下、より好ましくは７００ｇ／ｍ2以下であり、具体的には、好ましくは２０ｇ／ｍ2以上８００ｇ／ｍ2以下、より好ましくは５０ｇ／ｍ2以上７００ｇ／ｍ2以下である。尚、突出隣接部４４の坪量は、上述した吸収性コア４１の各部の厚みの測定方法で説明したように切り出した突出隣接部４４のサンプルの質量を、そのサンプルの肌対向面側の面の面積で除して求める。
【００５０】
ナプキン１では、吸収性コア４１における第一領域４１Ｆ及び第二領域４１Ｒは、それぞれ、図２に示すように、相対的に坪量が小さい溝部４５と相対的に坪量が大きい小吸収部４６とを有している。好適には、溝部４５は、縦方向Ｘに延びる縦溝４５Ｘと、横方向Ｙに延びる横溝４５Ｙとからなる。このように、第一領域４１Ｆ及び第二領域４１Ｒには、横方向Ｙに延びる溝部（横溝４５Ｙ）が配置され、縦方向Ｘに延びる溝部（縦溝４５Ｘ）が配置されている。そして、縦方向Ｘに延びる縦溝４５Ｘは、横方向Ｙに一定の間隔を空けて配され、横方向Ｙに延びる横溝４５Ｙは、縦方向Ｘに一定の間隔を空けて配されている。小吸収部４６は、縦溝４４Ｙ及び横溝４４Ｘで区画された格子の目の位置に配されている。上述した第一領域４１Ｆ及び第二領域４１Ｒの厚み及び坪量とは、小吸収部４６の厚み及び坪量を意味する。縦溝４５Ｘ及び横溝４５Ｙからなる溝部４５の坪量は、第一領域４１Ｆ及び第二領域に４１Ｒおける溝部以外の部分である小吸収部４６より吸収性コアの形成材料の坪量が低く形成されている。
【００５１】
ナプキン１では、第一領域４１Ｆ及び第二領域４１Ｒに溝部４５及び小吸収部４６を有し、中間領域４１Ｍに突出部４２、突出境界溝部４３及び突出隣接部４４を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００５２】
上述したナプキン１の吸収性コア４１は、例えば、図６（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００５３】
また、図６（ａ）に示すように、１個の集積用凹部５５の底面５６の一部には、吸収性コア４１の中間領域４１Ｍを形成するための１つの凹部５６ｂが形成されている。また、凹部５６ｂには、その底面に、突出部４２と突出隣接部４４とを区分する突出境界溝部４３を形成するための第１難通気性部材５７が配置されている。第１難通気性部材５７は、突出境界溝部４３に対応する位置に配され、凹部５６ｂの底面から突出するように固定されている。また、凹部５６ｂに隣接する回転方向Ｒの上流側領域及び下流側領域の底面５６には、溝部４５を形成するための第２難通気性部材５８が配置されている。第２難通気性部材５８は、縦溝４４Ｙ及び横溝４４Ｘに対応する位置に配され、集積用凹部５５の底面５６から突出するように固定されている。第１難通気性部材５７及び第２難通気性部材５８は、非通気性部材であっても良く、例えば金属やプラスチック、セラミック等からなる。
【００５４】
積繊ドラムを備えた公知の積繊装置と同様に、集積用凹部５５の底面から吸引しつつ、ダクト内に、吸水性ポリマーとパルプ繊維とを混合したコア材料を供給することによって、図６（ｂ）に示すように、コア材料が集積用凹部５５内に所定形状に堆積する。その堆積物４０を、集積用凹部５５から離型することで、吸収性コア４１の前駆体が得られる。吸収性コア４１の前駆体は、コアラップシート（不図示）で被覆された後に、ロータリーカッター等でカットされ、搬送方向にベルトコンベア等の搬送手段によって搬送される。このようにして吸収性コア４１が得られる。このようにして得られたコアラップシート（不図示）で被覆された吸収性コア４１は、一対のロール間に単回又は複数回通すこと等により、全体又は部分的に加圧し適度に圧縮させる。これにより、凹部５６ｂに堆積した部分が、坪量及び厚みともに相対的に大きい突出部４２となる。同様に、凹部５６ｂに隣接する上流側領域及び下流側領域に堆積したコア材料からなる部分が、坪量が相対的に小さい吸収性コア４１における第一領域４１Ｆ及び第二領域４１Ｒとなる。また、凹部５６ｂの第１難通気性部材５７上に堆積したコア材料からなる部分が、第一領域４１Ｆの坪量及び第二領域４１Ｒの坪量よりも相対的に小さい突出境界溝部４３の頂部となる。凹部５６ｂに隣接する上流側領域及び下流側領域の第２難通気性部材５８上に堆積したコア材料からなる部分が、小吸収部４６の坪量よりも相対的に小さい溝部４５の頂部となる。突出境界溝部４３の頂部及び溝部４５の頂部を含む、凹部５６ｂに隣接する上流側領域から下流側領域に亘って、第１難通気性部材５７及び第２難通気性部材５８上に堆積したコア材料からなる部分が、厚みの均一な連続層ＲＳとなる。
【００５５】
上述した本実施形態のナプキン１の各構成部材の形成材料について説明する。
肌対向面を形成する肌側シート２は、液透過性を有し、熱可塑性合成樹脂を含む素材で構成され、例えば、エアースルー繊維不織布、スパンボンド不織布、ポイントボンド不織布等の繊維不織布を好適に用いることができる。熱可塑性樹脂の例として、エチレン、プロピレン等のオレフィン系ポリマー、又は、ポリエチレンテレフタレートが挙げられるが、これらに限定されるものではない。肌側シート２は、例えば、坪量が１０〜１００ｇ／ｍ2であり、厚さが０．５〜５．０ｍｍであることが好ましい。また、肌側シート２は、当該技術分野において従来用いられてきたものと同様のものを特に制限なく用いることができ、穿孔フィルム等を用いることもできる。
【００５６】
非肌側シート３は、難透液性又は、不透過性を有し、熱可塑性合成樹脂を含む素材で構成され、例えば、合成樹脂製フィルム、合成樹脂製フィルムと不織布の積層体や、スパンボンド−メルトブローン−スパンボンド積層繊維不織布、エアースルー繊維不織布、ポイントボンド繊維不織布、スパンボンド繊維不織布等の耐水圧が高い撥水性の不織布を用いることができるが、これらに限定されるものではなく、当該技術分野において従来用いられてきたものと同様のものを特に制限なく用いることができる。非肌側シート３は、例えば、坪量が１０〜５０ｇ／ｍ2であり、厚さが、８〜２００μｍであることが好ましい。
【００５７】
吸収性コア４１のコア材料は、パルプ繊維等の繊維材料からなる繊維集合体を含んでなる。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。
また、吸収性コア４１には吸水性ポリマーが含有されていてもよい。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸水性ポリマーが含有されることで、より安定的に大量の血液などの排泄液を素早く吸収し、保持することができる。
また、吸収性コア４１には、消臭剤や抗菌剤等を必要に応じて配合しても良い。
【００５８】
吸収性コア４１を被覆するコアラップシート（不図示）としては、ティッシュペーパー、透水性の不織布等が挙げられる。吸収体４は、吸収性コア４１の上下両面をコアラップシート（不図示）で被覆して形成されている。コアラップシート（不図示）は、吸収性コア４１の形成材料の漏れ出しを防止したり、吸収性コア４１の保形性を高めたりする目的で使用される。吸収性コア４１の肌対向面側を被覆するコアラップシート（不図示）と肌側シート２との間、及び吸収性コア４１の非肌対向面側を被覆するコアラップシート（不図示）と非肌側シート３との間は、ドット、スパイラル、ストライプ等のパターン塗工された接着剤により互いに接合されていることが好ましい。
【００５９】
サイドシート５としては、当該技術分野において従来用いられている各種のものを特に制限なく用いることができ、例えば、液不透過性又は撥水性の樹脂フィルム、樹脂フィルムと不織布との積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアースルー不織布等の撥水性（疎水性）不織布が挙げられる。
【００６０】
サイドシート５と肌側シート２とを接合する接合部６は熱シール加工により常法に従って形成することができる。
線状圧搾溝７（第１横圧搾溝７１、第２横圧搾溝７２及び縦圧搾溝７３）は、熱を伴うか又は伴わない圧搾加工（いわゆるエンボス加工）、あるいは超音波エンボス等のエンボス加工により常法に従って形成することができる。
【００６１】
上述した本実施形態のナプキン１の作用効果について説明する。
ナプキン１は、図１〜図２に示すように、吸収性コア４１における中間領域４１Ｍに非肌側シート３側に向かって突出する突出部４２を有し、突出部４２は、図２に示すように、吸収性コア４１を平面視して、吸収性コア４１の横方向Ｙにおける長さが最大となる最大幅部を有し、該最大幅部の横方向Ｙの長さが、吸収性コア４１の中間領域４１Ｍの横方向Ｙの長さと同じである。その為、吸収性物品であるナプキン１が多少ズレた状態で着用されても、十分な吸収量が確保できる。また、突出部４２は、その肌対向面が平坦に形成されているので、吸収性コア４１における突出部４２の肌対向面が、吸収性コア４１を被覆するコアラップシート（不図示）と密着し易い。そして、突出部４２の肌対向面に対応する部分において、吸収体４と肌側シート２とも密着し易い。結果として、肌対向面では、吸収性コア４１に達した排泄液は、水平方向に速やかに拡散し、さらなる吸収量の向上や、吸収速度の向上により、液戻りなどが生じ難くなる。また、着用者の肌とナプキン１との間に段差が生じ難く、身体形状へのフィット性に優れることで着用者に違和感を与え難い。特に、ナプキン１では、吸収性コア４１の肌対向面に、第一領域４１Ｆから中間領域４１Ｍを通って第二領域４１Ｒに亘る、厚みが均一な連続層ＲＳを有しているため、着用者の肌とナプキン１との間に更に段差が生じ難く、身体形状へのフィット性が向上する。また、吸収性コア４１の中間領域４１Ｍに備えられた突出部４２は、その厚みが、吸収性コア４１の第一領域４１Ｆ及び第二領域４１Ｒの厚みよりも厚いので、ナプキン１の着用中に、図４及び図５に示すように、突出部４２の縦方向Ｘの前後領域において、吸収性コア４１の肌対向面と非肌側シート３又はコアラップシート（不図示）との間に空間Ｋが存在し易く、該空間Ｋによって、ナプキン１が縦方向Ｘにクッション性に優れた形状に変形し易く、フィット性が向上する。
【００６２】
特に、ナプキン１では、前記最大幅部が吸収性コア４１の縦方向Ｘに沿う両側縁に従って縦方向Ｘに所定の長さに延在して形成される突出中央部４２１を有している。その為、排泄液の吸収量を高めることができるとともに、吸収性物品であるナプキン１が多少ズレた状態で着用された場合や、着用時の身体の動作や就寝時の身体の姿勢などに対しても、十分な吸収性能が発現できる。さらには、肌側シート２と吸収性コア４１との間に段差が生じないことで、排泄液は、吸収性コア４１に素早く吸収され、肌側シート２と吸収性コア４１との隙間を伝っての横漏れが発生し難くなる。また、突出部４２は、図２に示すように平面視して、突出中央部４２１と、突出中央部４２１の縦方向Ｘの前端部から第一領域４１Ｆ側に向かって凸の前方側凸部４２２、及び突出中央部４２１の縦方向Ｘの後端部から第二領域４１Ｒ側に向かって凸の後方側凸部４２３の何れか一方を少なくとも有している。その為、ナプキン１が多少ズレた状態で着用されても、突出部４２が前方側凸部４２２及び後方側凸部４２３の何れか一方を有していれば、両大腿部からナプキン１の横方向Ｙ内側への力に対し、前方側凸部４２２及び後方側凸部４２３が変形することで、突出部４２が身体形状への追従性に優れ、着用者に違和感を与え難くなっている。ナプキン１では、特に、突出部４２が前方側凸部４２２及び後方側凸部４２３の両方を有しているので、前記効果を一層奏することができる。
【００６３】
また、ナプキン１は、図２に示すように、吸収性コア４１における前方側凸部４２２及び後方側凸部４２３がそれぞれ、縦方向Ｘに沿う両側部から横方向Ｙの中央部に位置する頂部４２２ｔ，４２３ｔに向かって、その幅ｄが漸減するように形成されている。その為、ナプキン１が多少ズレた状態で着用されても、身体形状への追従性に更に優れており、着用者に違和感を更に与え難くなっている。
【００６４】
また、ナプキン１は、図２に示すように、吸収性コア４１における中間領域４１Ｍに突出部４２と、突出部４２以外の部分を区画する突出境界溝部４３を有している。突出境界溝部４３は、図４及び図５に示すように、吸収性コア４１における非肌対向面側から肌対向面側に向かって窪んで形成されている。その為、突出境界溝部４３を起点に折れ曲り易く、着用者に違和感を与え難くなっている。特に、ナプキン１では、突出境界溝部４３は、吸収性コア４１における第一領域４１Ｆ及び第二領域４１Ｒの坪量よりも坪量が低く形成されている。その為、突出境界溝部４３を起点に更に折れ曲り易く、着用者に違和感を与え難くなっている。更に、突出境界溝部４３が、吸収性コア４１の横方向Ｙの全長に亘って形成されていることで、吸収性コア４１の横方向Ｙの側縁部においても、着用者の身体形状や動きに合わせて折れ曲がり易くなり、より一層フィット性が向上する。
【００６５】
また、ナプキン１は、図２に示すように、吸収性コア４１における中間領域４１Ｍに、突出部４２を構成する前方側凸部４２２に隣接する第一領域４１Ｆ側に配された前方突出隣接部４４ａと、突出部４２を構成する後方側凸部４２３に隣接する第二領域４１Ｒ側に配された後方突出隣接部４４ｃとを有している。そして、突出隣接部４４は、図４及び図５に示すように、突出境界溝部４３における空洞の天部よりも非肌側シート３に向かって突出していると共に、肌対向面が、突出部４２の肌対向面と同様に、平坦に形成されている。その為、突出境界溝部４３に対応する部分においても、着用者の肌とナプキン１との間に段差が生じ難く、身体形状へのフィット性に優れることで着用者に違和感を与え難い。また、ナプキン１では、突出隣接部４４の坪量が、吸収性コア４１における第一領域４１Ｆの坪量及び第二領域４１Ｒの坪量より小さく、且つ、突出境界溝部４３の坪量よりも大きく形成されているので、ナプキン１が多少ズレた状態で着用されても、十分な吸収性能が発現できる。
【００６６】
また、ナプキン１は、図２に示すように、吸収性コア４１における第一領域４１Ｆ及び第二領域４１Ｒに、相対的に坪量の大きい小吸収部４６及び相対的に坪量の小さい溝部４５を有しているので、溝部４５を起点に折れ曲り易く、着用者に違和感を与え難くなっている。ナプキン１では、第一領域４１Ｆ及び第二領域４１Ｒに溝部４５及び小吸収部４６を有し、中間領域４１Ｍに突出部４２、突出境界溝部４３及び突出隣接部４４を有する吸収性コア４１が一体成形されているので、身体形状へのフィット性に優れ、着用者に違和感を与え難い。
【００６７】
以上、本発明をその好ましい実施形態に基づき説明したが、本発明の吸収性物品は本実施形態のナプキン１に何ら制限されるものではなく、適宜変更可能である。
【００６８】
例えば、ナプキン１では、図１及び図２に示すように、吸収性コア４１の中間領域４１Ｍがナプキン１の排泄対向区域Ｂの領域以内に配置されており、吸収性コア４１の中間領域４１Ｍとナプキン１の排泄対向区域Ｂとが一致していないが、一致していてもよい。即ち、ナプキン１のように、ナプキン１が、横方向Ｙ両外側に一対のウイング部１Ｗを備える場合には、各ウイング部１Ｗにおける縦方向Ｘに間隔を空けて配されたウイング部１Ｗの付け根どうし間に中間領域４１Ｍが存在するようにすればよい。より具体的には、ナプキン１の中間領域４１Ｍは、各ウイング部１Ｗにおける縦方向Ｘに間隔を空けて配されたウイング部１Ｗの付根どうし間に亘って存在するようにすればよい。尚、ナプキン１の前方区域Ａの大きさと吸収性コア４１の第一領域４１Ｆの大きさとが略一致しており、ナプキン１の後方区域Ｃの大きさと吸収性コア４１の第二領域４１Ｒの大きさとが略一致している場合には、ナプキン１の中間領域４１Ｍの縦方向Ｘの長さは、各ウイング部１Ｗにおける縦方向Ｘに間隔を空けて配されたウイング部１Ｗの付根どうし間の長さと同一である。このように配置しても、上述したナプキン１と同様な効果を得ることができる。
【００６９】
尚、本実施形態のナプキン１は、十分な吸収量の確保が要求される観点から、縦方向Ｘの全長３０ｃｍ以上の所謂夜用の生理用ナプキンであることが好ましい。
【００７０】
また、ナプキン１の吸収性コア４１における前方側凸部４２２では、図２に示すように、両側辺４２２ｓ，４２２ｓがそれぞれ屈曲せずに、吸収性コア４１の縦方向Ｘに沿う側縁４１ｓから頂部４２２ｔに向かって真っ直ぐに直線状に延びており、前方側凸部４２２の幅ｄが、吸収性コア４１の縦方向Ｘに沿う側縁４１ｓから頂部４２２ｔに向かって連続的に漸減しているが、前方側凸部４２２の幅ｄが単に漸減していれば、段階的に漸減していてもよい。前方側凸部４２２が真っ直ぐに直線状に延びており、前方側凸部４２２の幅ｄが、吸収性コア４１の縦方向Ｘに沿う両側縁４１ｓ，４１ｓから頂部４２２ｔに向かって連続的に漸減していることで、身体へのフィット性の向上に加え、前記積繊装置における前記集積用凹部５５から離型する際の離型性が向上する点から好ましい。後方側凸部４２３も同様である。
【００７１】
また、ナプキン１の第一領域４１Ｆ及び第二領域４１Ｒは、厚みが同じであるが、突出部４２の厚みよりも小さければ、互いに異なる厚みであってもよい。また、ナプキン１の第一領域４１Ｆ及び第二領域４１Ｒは、坪量が同じであるが、突出部４２の坪量よりも小さければ、互いに異なる坪量であってもよい。また、ナプキン１の第一領域４１Ｆ及び第二領域４１Ｒは、溝部４５及び小吸収部４６を有しているが、有していなくてもよく、異なる形状の溝部４５及び小吸収部４６を有していてもよい。
【００７２】
また、ナプキン１の吸収性コア４１は、その全体が一体成形されているが、一体成形されていなくてもよい。例えば、吸収性コア４１において、第一領域４１Ｆから第二領域４１Ｒに亘って同じ高さにコア材料で形成しておき、次に、に別のコア材料で形成されたものを配置して突出部４２を形成してもよい。
【００７３】
また、ナプキン１は、図１に示すように、肌側シート２の肌対向面における縦方向Ｘに沿う両側部に、サイドシート５を配しているが、体液の横漏れを防止する観点から、サイドシート５の自由端部に、縦方向Ｘに伸長状態の弾性部材を配して、着用者側に向かって起立可能な防漏カフを形成していてもよい。
【００７４】
また、ナプキン１は、図１に示すように、排泄対向区域Ｂの縦方向Ｘに沿う左右両側に一対のウイング部１Ｗ，１Ｗを有しているが、一対のウイング部１Ｗ，１Ｗを有していなくてもよい。また、一対のウイング部１Ｗ，１Ｗに加えて、後方区域Ｃの縦方向Ｘに沿う左右両側に一対の後方フラップを有していてもよい。
【００７５】
また、図１に示すナプキン１では、肌側シート２と吸収性コア４１とが圧搾一体化された線状溝として、吸収性コア４１の縦方向Ｘに延びる一対の縦圧搾溝７３を有しており、より一層の漏れの防止の観点から、縦圧搾溝７３が、吸収性コア４１における突出部４２、突出境界溝部４３、突出隣接部４４を縦方向Ｘに縦断するように形成されている。尚、図７に示すナプキン１のように、吸収体４の排泄対向区域Ｂにおける縦方向Ｘの前後端部で、一対の縦圧搾溝７３及び一対の第１横圧搾溝７１よりも内側に、それぞれ横方向Ｙに延びる第２横圧搾溝７２を有していてもよい。このようにナプキン１の内側に第２横圧搾溝７２を設けることで、ナプキン１が第２横圧搾溝７２を起点に変形することができ、肌へのフィット性がより向上する。
【００７６】
また、図８に示すナプキン１のように、排泄対向区域Ｂの縦方向Ｘに沿う一対の縦圧搾溝７３，７３の横方向Ｙの外側に一対の第２縦圧搾溝７３Ａ，７３Ａを設けても良い。第２縦圧搾溝７３Ａ，７３Ａを設けることで、第一領域４１Ｆ及び第二領域４１Ｒの吸収性、柔軟性を維持しながら、より一層排泄部のヨレの防止が可能となる。第２縦圧搾溝７３Ａ，７３Ａは、縦方向Ｘにおいて、中間領域４１Ｍの位置に配されていることが、ヨレ防止やフィット性の観点でより好ましい。
【００７７】
また、ナプキン１の吸収性コア４１は、溝部４５を肌対向面側に形成してもよい。これにより、液拡散性及び液保持性が向上する。
【００７８】
また、ナプキン１においては、図１に示すように、ナプキン１の前方区域Ａの大きさと吸収性コア４１の第一領域４１Ｆの大きさとは略一致しているが、一致していなくてもよい。また、ナプキン１の後方区域Ｃの大きさと吸収性コア４１の第二領域４１Ｒの大きさとは略一致しているが、一致していなくてもよい。
【００７９】
また、本発明の吸収性物品は、生理用ナプキンの他、パンティライナー（おりものシート）、失禁パッド等であってもよい。
【００８０】
前述した本発明の実施形態に関し、更に以下の吸収性物品を開示する。
【００８１】
＜１＞
着用者の前後方向に対応する縦方向に長い形状の吸収性コアを含む吸収体と該吸収体の肌対向面を被覆する肌側シートと該吸収体の非肌対向面を被覆する非肌側シートとを備え、前方区域及び後方区域を有する吸収性物品であって、
前記吸収性コアは、前記前方区域側に位置する第一領域及び前記後方区域側に位置する第二領域との間に中間領域を有し、該中間領域は、該第一領域及び該第二領域における厚みよりも厚みの厚い突出部を備えており、
前記突出部は、前記非肌側シートに向かって突出しており、
前記突出部は、前記吸収性コアを平面視して、該吸収性コアの前記縦方向と直交する横方向における長さが最大となる最大幅部を有し、該最大幅部での横方向の長さが、前記吸収性コアの該横方向の長さと同じである、吸収性物品。
【００８２】
＜２＞
前記突出部は、前記最大幅部が前記吸収性コアの前記縦方向に沿う両側縁に従って前記縦方向に所定の長さに延在して形成される突出中央部を備えている、前記＜１＞に記載の吸収性物品。
＜３＞
前記突出部は、前記突出中央部から前方側又は後方側に向かって前記最大幅部よりも横方向の長さが狭くなるように膨出した前方側凸部又は後方側凸部を備えている、前記＜２＞に記載の吸収性物品。
＜４＞
前記吸収性コアは、前記中間領域に前記突出部と該突出部以外の部分との境界を区画する突出境界溝部を有し、
前記突出境界溝部は、前記吸収性コアの横方向の全長に亘り形成されている、前記＜１＞〜＜３＞の何れか１に記載の吸収性物品。
＜５＞
前記突出境界溝部は、前記吸収性コアにおける非肌対向面側から肌対向面側に向かって窪んで形成されている、前記＜４＞に記載の吸収性物品。
＜６＞
前記突出境界溝部は、前記吸収性コアにおける前記第一領域及び前記第二領域の坪量よりも坪量が低く形成されている、前記＜４＞又は＜５＞に記載の吸収性物品。
＜７＞
前記吸収性コアは、前記中間領域に前記突出部と該突出部以外の部分との境界を区画する突出境界溝部を有し、前記中間領域における前記突出部及び該突出境界溝部を除く領域に突出隣接部を有し、
前記突出隣接部は、その坪量が、前記突出部の坪量より小さく、且つ、前記吸収性コアにおける前記第一領域及び前記第二領域の坪量以下である、前記＜１＞〜＜６＞の何れか１に記載の吸収性物品。
＜８＞
前記突出隣接部は、前記突出境界溝部における空洞の天部よりも前記非肌側シートに向かって突出していると共に、肌対向面が平坦に形成されている、前記＜７＞に記載の吸収性物品。
＜９＞
前記突出部は、肌対向面側に、前記吸収性コアにおける前記第一領域及び前記第二領域の坪量よりも坪量が低い凹部を有さない、前記＜１＞〜＜８＞の何れか１に記載の吸収性物品。
＜１０＞
前記吸収性コアは、肌対向面に、前記第一領域から前記中間領域を通って前記第二領域に亘る、厚みが均一な連続層を有している、前記＜１＞〜＜９＞の何れか１に記載の吸収性物品。
【００８３】
＜１１＞
前記吸収性コアは、その全体が一体成形により構成されている、前記＜１＞〜＜１０＞の何れか１に記載の吸収性物品。
＜１２＞
前記突出部は、前記最大幅部が前記吸収性コアの前記縦方向に沿う両側縁に従って前記縦方向に所定の長さに延在して形成される突出中央部と、該突出中央部から前方側及び後方側に向かって前記最大幅部よりも横方向の長さが狭くなるように膨出した前方側凸部及び後方側凸部とを備え、
前記前方側凸部は、前記突出中央部の縦方向の前端部に１個配され、前記後方側凸部は前記突出中央部の縦方向の後端部に１個配されており、
前記前方側凸部及び前記後方側凸部は、それぞれ、縦方向に沿う両側部から横方向の中央部に位置する頂部に向かって、その横方向の長さが漸減するように形成されている、前記＜１＞〜＜１１＞の何れか１に記載の吸収性物品。
＜１３＞
前記突出部は、前記最大幅部が前記吸収性コアの前記縦方向に沿う両側縁に従って前記縦方向に所定の長さに延在して形成される突出中央部を備え、
前記突出中央部は、断面視において、横方向の中央部から縦方向に沿う両側部に向かって、その厚みが小さくなるように形成されている、前記＜１＞〜＜１２＞の何れか１に記載の吸収性物品。
＜１４＞
前記突出部は、前記最大幅部が前記吸収性コアの前記縦方向に沿う両側縁に従って前記縦方向に所定の長さに延在して形成される突出中央部を備え、
前記突出中央部は、断面視において、横方向の中央部から縦方向に沿う両側部に向かって、その坪量が小さくなるように形成されている、前記＜１＞〜＜１３＞の何れか１に記載の吸収性物品。
＜１５＞
前記吸収性コアは、前記中間領域に前記突出部と該突出部以外の部分との境界を区画する突出境界溝部を有し、前記中間領域における前記突出部及び該突出境界溝部を除く領域に突出隣接部を有し、
前記突出隣接部は、その坪量が、前記突出部の坪量より小さく、且つ、前記突出境界溝部の坪量よりも大きい、前記＜１＞〜＜１４＞の何れか１に記載の吸収性物品。
＜１６＞
前記突出隣接部は、その厚みが、前記吸収性コアにおける前記第一領域及び前記第二領域の厚みと、同じか小さい、前記＜１５＞に記載の吸収性物品。
＜１７＞
前記突出部の縦方向の全長は、前記吸収性コアの縦方向の全長の２５％以上８０％以下である、前記＜１＞〜＜１６＞の何れか１に記載の吸収性物品。
＜１８＞
前記突出部は、前記最大幅部が前記吸収性コアの前記縦方向に沿う両側縁に従って前記縦方向に所定の長さに延在して形成される突出中央部を備え、
前記突出部における前記突出中央部の縦方向の全長は、前記突出部の縦方向の全長の２０％以上８０％以下である、前記＜１＞〜＜１７＞の何れか１に記載の吸収性物品。
＜１９＞
前記吸収性コアは、前記突出部とそれ以外の部分との境界を区画する突出境界溝部を有し、前記中間領域における前記突出部及び該突出境界溝部を除く領域に突出隣接部を有し、
前記吸収性物品は、前記肌側シートと前記吸収性コアとが圧搾一体化された線状溝として、前記吸収性コアの縦方向に延びる一対の縦圧搾溝を有しており、
前記縦圧搾溝が、前記突出部、前記突出境界溝部、前記突出隣接部を縦方向に縦断するように形成されている、前記＜１＞〜＜１８＞の何れか１に記載の吸収性物品。
【００８４】
＜２０＞
前記吸収性物品は、前記肌側シートと前記吸収性コアとが圧搾一体化された線状溝として、前記一対の縦圧搾溝の内側に横方向に延びる横圧搾溝を有する、前記＜１９＞に記載の吸収性物品。
＜２１＞
前記吸収性物品は、前記中間領域の前記縦方向に沿う前記一対の縦圧搾溝の横方向の外側に一対の第２縦圧搾溝を有する、前記＜１９＞又は＜２０＞に記載の吸収性物品。
前記＜２２＞
前記吸収性コアの前記第一領域及び前記第二領域には、横方向に延びる溝部が配置され、該溝部の坪量は、該第一領域及び該第二領域における該溝部以外の部分より吸収性コアの形成材料の坪量が低い、前記＜１＞〜＜２１＞の何れか１に記載の吸収性物品。
＜２３＞
前記吸収性コアの前記第一領域及び前記第二領域には、縦方向に延びる溝部が配置され、該溝部の坪量は、該第一領域及び該第二領域における該溝部以外の部分より吸収性コアの形成材料の坪量が低い、前記＜１＞〜＜２２＞の何れか１に記載の吸収性物品。
＜２４＞
前記吸収性物品の横方向両外側に一対のウイング部を備えており、各ウイング部における縦方向に間隔を空けて配された該ウイング部の付け根どうし間に前記中間領域が存在する、前記＜１＞〜＜２３＞の何れか１に記載の吸収性物品。
＜２５＞
前記吸収性コアの前記中間領域は、前記ウイング部の付け根どうし間に亘って存在する、前記＜２４＞に記載の吸収性物品。
＜２６＞
前記吸収性コアの前記中間領域の縦方向の長さは、前記ウイング部の付け根どうし間の長さと同一である、前記＜２４＞又は＜２５＞に記載の吸収性物品。
＜２７＞
前記吸収性物品の前後方向に沿う左右両側に、着用者側へ向かって起立可能な防漏カフを備える、前記＜１＞〜＜２６＞の何れか１に記載の吸収性物品。
＜２８＞
前記吸収性物品が全長３０ｃｍ以上の生理用ナプキンである、前記＜１＞〜＜２７＞の何れか１に記載の吸収性物品。
【産業上の利用可能性】
【００８５】
本発明によれば、吸収性物品が多少ズレた状態で着用されても、十分な吸収量が確保できると共に、身体形状へのフィット性に優れることで着用者に違和感を与え難い。
【図１】
2018122899.tif 000003
【図２】
2018122899.tif 000004
【図３】
2018122899.tif 000005
【図４】
2018122899.tif 000006
【図５】
2018122899.tif 000007
【図６】
2018122899.tif 000008
【図７】
2018122899.tif 000009
【図８】
2018122899.tif 000010
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
着用者の前後方向に対応する縦方向に長い形状の吸収性コアを含む吸収体と該吸収体の肌対向面を被覆する肌側シートと該吸収体の非肌対向面を被覆する非肌側シートとを備え、前方区域及び後方区域を有する吸収性物品であって、
前記吸収性コアは、前記前方区域側に位置する第一領域及び前記後方区域側に位置する第二領域との間に中間領域を有し、該中間領域は、該第一領域及び該第二領域における厚みよりも厚みの厚い突出部を備えており、
前記突出部は、前記非肌側シートに向かって突出しており、
前記突出部は、前記吸収性コアを平面視して、該吸収性コアの前記縦方向と直交する横方向における長さが最大となる最大幅部を有し、該最大幅部での横方向の長さが、前記吸収性コアの該横方向の長さと同じである、吸収性物品。
【請求項２】
前記突出部は、前記最大幅部が前記吸収性コアの前記縦方向に沿う両側縁に従って前記縦方向に所定の長さに延在して形成される突出中央部を備えている、請求項１に記載の吸収性物品。
【請求項３】
前記突出部は、前記突出中央部から前方側又は後方側に向かって前記最大幅部よりも横方向の長さが狭くなるように膨出した前方側凸部又は後方側凸部を備えている、請求項２に記載の吸収性物品。
【請求項４】
前記吸収性コアは、前記中間領域に前記突出部と該突出部以外の部分との境界を区画する突出境界溝部を有し、
前記突出境界溝部は、前記吸収性コアの横方向の全長に亘り形成されている、請求項１〜３の何れか１項に記載の吸収性物品。
【請求項５】
前記吸収性コアは、前記中間領域に前記突出部と該突出部以外の部分との境界を区画する突出境界溝部を有し、前記中間領域における前記突出部及び該突出境界溝部を除く領域に突出隣接部を有し、
前記突出隣接部は、その坪量が、前記突出部の坪量より小さく、且つ、前記吸収性コアにおける前記第一領域及び前記第二領域の坪量以下である、請求項１〜４の何れか１項に記載の吸収性物品。
【請求項６】
前記吸収性コアは、肌対向面に、前記第一領域から前記中間領域を通って前記第二領域に亘る、厚みが均一な連続層を有している、請求項１〜５の何れか１項に記載の吸収性物品。
【請求項７】
前記突出部は、前記最大幅部が前記吸収性コアの前記縦方向に沿う両側縁に従って前記縦方向に所定の長さに延在して形成される突出中央部と、該突出中央部から前方側及び後方側に向かって前記最大幅部よりも横方向の長さが狭くなるように膨出した前方側凸部及び後方側凸部とを備え、
前記前方側凸部は、前記突出中央部の縦方向の前端部に１個配され、前記後方側凸部は前記突出中央部の縦方向の後端部に１個配されており、
前記前方側凸部及び前記後方側凸部は、それぞれ、縦方向に沿う両側部から横方向の中央部に位置する頂部に向かって、その横方向の長さが漸減するように形成されている請求項１〜６の何れか１項に記載の吸収性物品。
【請求項８】
前記吸収性コアは、前記中間領域に前記突出部と該突出部以外の部分との境界を区画する突出境界溝部を有し、前記中間領域における前記突出部及び該突出境界溝部を除く領域に突出隣接部を有し、
前記突出隣接部は、その坪量が、前記突出部の坪量より小さく、且つ、前記突出境界溝部の坪量よりも大きい請求項１〜７の何れか１項に記載の吸収性物品。
【請求項９】
前記吸収性コアは、前記突出部とそれ以外の部分との境界を区画する突出境界溝部を有し、前記中間領域における前記突出部及び該突出境界溝部を除く領域に突出隣接部を有し、
前記吸収性物品は、前記肌側シートと前記吸収性コアとが圧搾一体化された線状溝として、前記吸収性コアの縦方向に延びる一対の縦圧搾溝を有しており、
前記縦圧搾溝が、前記突出部、前記突出境界溝部、前記突出隣接部を縦方向に縦断するように形成されている、請求項１〜８の何れか１項に記載の吸収性物品。
【請求項１０】
前記吸収性コアの前記第一領域及び前記第二領域には、横方向に延びる溝部が配置され、該溝部の坪量は、該第一領域及び該第二領域における該溝部以外の部分より吸収性コアの形成材料の坪量が低い、請求項１〜９の何れか１項に記載の吸収性物品。
【国際調査報告】
2018122899.tif 000011
2018122899.tif 000012
2018122899.tif 000013
2018122899.tif 000014